(57)【特許請求の範囲】
【請求項１】
表示画面と、
電子チラシの画像を受信する受信部と、
前記受信部によって受信された前記画像を記憶する記憶部と、
前記表示画面に表示された前記画像を選択する操作を受け付ける操作受付部と、
前記記憶部に記憶された前記画像を前記表示画面に表示し、向きが前記表示画面の上下方向と一致していない画像を選択する操作が前記操作受付部によって受け付けられたときは、選択された画像の向きが前記表示画面の上下方向と一致するように表示する表示制御部とを備え、
前記表示制御部は、
前記画像を選択する操作が継続して行われている間において、前記選択された画像の向きが前記表示画面の上下方向と一致するように表示し、
前記操作受付部は、
前記画像を選択する操作が継続して行われている間において、前記選択された画像を移動させる操作を受け付ける
ことを特徴とする端末装置。
【請求項２】
前記表示制御部は、
画像を選択する操作が前記操作受付部によって受け付けられるのに応じて、当該操作に係る画像に関する情報を、前記表示画面に表示させることを特徴とする請求項１に記載の端末装置。
【請求項３】
表示画面と、電子チラシの画像を記憶する記憶部とを備える端末装置のコンピュータに、
前記端末装置が、電子チラシの画像を受信する受信ステップと、
前記端末装置が、前記表示画面に表示された前記画像を選択する操作を受け付け、前記画像を選択する操作が継続して行われている間において、選択された画像を移動させる操作を受け付ける操作受付ステップと、
前記端末装置が、前記受信ステップが受信して前記記憶部に記憶された前記画像を前記表示画面に表示し、向きが前記表示画面の上下方向と一致していない画像を選択する操作が前記操作受付ステップによって受け付けられたときは、選択された画像の向きが前記表示画面の上下方向と一致するように表示し、前記画像を選択する操作が継続して行われている間において、前記選択された画像の向きが前記表示画面の上下方向と一致するように表示する表示制御ステップと
を実行させるためのプログラム。
【請求項４】
表示画面と、電子チラシの画像を記憶する記憶部とを備える端末装置における表示制御方法であって、
電子チラシの画像を受信する受信ステップと、
前記表示画面に表示された前記画像を選択する操作を受け付ける操作受付ステップと、
前記受信ステップが受信して前記記憶部に記憶された前記画像を前記表示画面に表示し、向きが前記表示画面の上下方向と一致していない画像を選択する操作が前記操作受付ステップによって受け付けられたときは、選択された画像の向きが前記表示画面の上下方向と一致するように表示する表示制御ステップとを実行し、
前記表示制御ステップは、
前記画像を選択する操作が継続して行われている間において、前記選択された画像の向きが前記表示画面の上下方向と一致するように表示し、
前記操作受付ステップは、
前記画像を選択する操作が継続して行われている間において、前記選択された画像を移動させる操作を受け付ける
ことを特徴とする表示制御方法。
【発明の詳細な説明】
【技術分野】
【０００１】
本発明は端末装置、プログラム及び表示制御方法に関する。
【背景技術】
【０００２】
現在、スーパーマーケット、家電製品の量販店等の広告の媒体として、新聞等と一緒に配達される折り込みチラシが利用されている。また、印刷物である折り込みチラシの他に、広告情報を電子化し、電子チラシとしてネットワークを介して配信するサービスも利用されている。例えば、広告とコンテンツとを含むウェブページを生成して端末装置に送信するシステムが開示されている（例えば、特許文献１参照）。
【先行技術文献】
【特許文献】
【０００３】
【特許文献１】特開２００８−０４６９８７号公報
【発明の概要】
【発明が解決しようとする課題】
【０００４】
しかしながら、端末装置が受信する電子チラシの数量が多い場合、個々の電子チラシが自らにとって有用な電子チラシであるか否か、即ち、広告内容に興味があって後で閲覧したい電子チラシであるか否かを分別するのに手間が掛かるという問題がある。
【０００５】
本発明は、このような事情を考慮し、上記の問題を解決すべくなされたものであって、その目的は、折り込みチラシを扱うのに近い感覚で電子チラシを分別することができる端末装置及びプログラムを提供することにある。
【課題を解決するための手段】
【０００６】
上記問題を解決するために、本発明の一態様である端末装置は、表示画面と、電子チラシの画像を受信する受信部と、前記受信部によって受信された前記画像を記憶する記憶部と、前記表示画面に表示された前記画像を選択する操作を受け付ける操作受付部と、前記記憶部に記憶された前記画像を前記表示画面に表示し、向きが前記表示画面の上下方向と一致していない画像を選択する操作が前記操作受付部によって受け付けられたときは、選択された画像の向きが前記表示画面の上下方向と一致するように表示する表示制御部とを備え、前記表示制御部は、前記画像を選択する操作が継続して行われている間において、前記選択された画像の向きが前記表示画面の上下方向と一致するように表示し、前記操作受付部は、前記画像を選択する操作が継続して行われている間において、前記選択された画像を移動させる操作を受け付けることを特徴とする。
【０００７】
上記端末装置において、前記表示制御部は、前記操作受付部が受け付けた画像を選択する操作に応じて、当該操作に係る画像に関する情報を、前記表示画面に表示させるようにしてもよい。
【０００８】
上記問題を解決するために、本発明の一態様であるプログラムは、表示画面と、電子チラシの画像を記憶する記憶部とを備える端末装置のコンピュータに、前記端末装置が、電子チラシの画像を受信する受信ステップと、前記端末装置が、前記表示画面に表示された前記画像を選択する操作を受け付け、前記画像を選択する操作が継続して行われている間において、選択された画像を移動させる操作を受け付ける操作受付ステップと、前記端末装置が、前記受信ステップが受信して前記記憶部に記憶された前記画像を前記表示画面に表示し、向きが前記表示画面の上下方向と一致していない画像を選択する操作が前記操作受付ステップによって受け付けられたときは、選択された画像の向きが前記表示画面の上下方向と一致するように表示し、前記画像を選択する操作が継続して行われている間において、前記選択された画像の向きが前記表示画面の上下方向と一致するように表示する表示制御ステップとを実行させるためのものである。
【０００９】
上記問題を解決するために、本発明の一態様である表示制御方法は、表示画面と、電子チラシの画像を記憶する記憶部とを備える端末装置における表示制御方法であって、電子チラシの画像を受信する受信ステップと、前記表示画面に表示された前記画像を選択する操作を受け付ける操作受付ステップと、前記受信ステップが受信して前記記憶部に記憶された前記画像を前記表示画面に表示し、向きが前記表示画面の上下方向と一致していない画像を選択する操作が前記操作受付ステップによって受け付けられたときは、選択された画像の向きが前記表示画面の上下方向と一致するように表示する表示制御ステップとを実行し、前記表示制御ステップは、前記画像を選択する操作が継続して行われている間において、前記選択された画像の向きが前記表示画面の上下方向と一致するように表示し、前記操作受付ステップは、前記画像を選択する操作が継続して行われている間において、前記選択された画像を移動させる操作を受け付けることを特徴とする。
【発明の効果】
【００１０】
本発明に係る端末装置によれば、ユーザは、表示画面の上下方向と一致していない状態の電子チラシの画像を表示画面の上下方向と一致させることができるため、印刷物のチラシを扱うのに近い感覚で、電子チラシを分別することができる。
【図面の簡単な説明】
【００１１】
【図１】本発明の実施形態である端末装置１の機能ブロック図の一例である。
【図２】端末装置１の外観を示す模式図である。
【図３】記憶部２０に記憶される情報の一例である。
【図４】表示画面４０における表示例である。
【図５】端末装置１の動作の一例を示すフローチャートである。
【図６】表示画面４０における表示例である。
【図７】表示画面４０における表示例である。
【図８】表示画面４０における表示例である。
【図９】表示画面４０における表示例である。
【図１０】表示画面４０における表示例である。
【図１１】表示画面４０における表示例である。
【図１２】表示画面４０における表示例である。
【図１３】表示画面４０における表示例である。
【図１４】表示画面４０における表示例である。
【図１５】表示画面４０における表示例である。
【図１６】表示画面４０における表示例である。
【発明を実施するための形態】
【００１２】
以下、本発明の第１の実施形態について図面を参照して詳細に説明する。図１は、本発明の実施形態である端末装置１の機能ブロック図の一例である。図２は、端末装置１の外観を示す模式図である。図３は、記憶部２０に記憶される情報の一例である。端末装置１は、例えば、スマートフォンであって、図１に示すように、送受信部１０、記憶部２０、表示制御部３０、表示画面（表示部）４０、操作受付部５０、分類部６０、及び、計時部７０を備える。
【００１３】
表示画面４０は、図２に示すように略矩形であって、表示制御部３０の制御に従って、種々の情報を表示する。また、表示画面４０は、タッチセンサを配したタッチセンサ画面であって、ユーザによる接触を検知する。
【００１４】
送受信部１０は、ネットワーク（例えば、インターネット）を介して、種々の情報を送受信する。例えば、送受信部１０は、サーバから電子チラシの画像（以下、「チラシ画像」とも称する）を受信する。端末装置１は、プッシュ型としてサーバから配信されるチラシ画像を受信してもよいし、プル型としてチラシ画像をサーバに要求し、要求に応じて送信されるチラシ画像を受信してもよい。なお、チラシ画像には有効期限が設定されていてもよい。この有効期限は、電子チラシを閲覧できる期限を示す情報であり、例えば、電子チラシをサーバ１から端末装置に送信することができる期限、又は、サーバ１から受信した電子チラシを端末装置が表示可能な期限である。
【００１５】
記憶部２０は、種々の情報を記憶する。例えば、記憶部２０は、送受信部１０によって受信されたチラシ画像を記憶する。より詳細には、記憶部２０は、各チラシ画像を、未分類、分類済の何れかとして記憶する。ここで、分類済には、ユーザからの指示に応じて表示する可能性があるチラシ画像であることを示す「閲覧必要」と、今後表示する可能性がないチラシ画像であることを示す「閲覧不要」とがある。
【００１６】
例えば、記憶部２０は、図３（ａ）に示すように、各チラシ画像を「未分類」「分類済（閲覧必要）」「分類済（閲覧不要）」の何れかの状態を表す情報に対応付けて記憶する。また例えば、記憶部２０は、図３（ｂ）に示すように、各チラシ画像を「未分類」「分類済（閲覧必要）」「分類済（閲覧不要）」の何れかの状態毎にグループに分けて記憶してもよい。
【００１７】
未分類のチラシ画像とは、送受信部１０によって受信され、分類部６０によって未だ分類されていないチラシ画像である。閲覧必要のチラシ画像とは、操作受付部５０から入力されるユーザの指示に従い、分類部６０によってユーザにとって有用なもの、即ち、広告内容に興味があって閲覧に値するものに分類されたチラシ画像である。閲覧不要のチラシ画像とは、分類部６０によってユーザにとって無用なもの、即ち、広告内容に興味がなく閲覧に値しないものに分類されたチラシ画像である。なお、分類部６０による分類については後述する。
【００１８】
なお、サーバ１から送信され記憶部２０に記憶したチラシ画像に有効期限が設定されていた場合、有効期限を過ぎたときに、記憶部２０から消去（削除）してもよい。なお、チラシ画像の消去に関しては後述する。
【００１９】
表示制御部３０は、表示画面４０の表示を制御する。例えば、表示制御部３０は、記憶部２０に記憶されたチラシ画像の表示画面４０への表示を制御する。即ち、表示制御部３０は、夫々の表示位置（夫々の表示位置とは、所定の、若しくは、ランダムに定める初期位置、又は、初期位置から移動した移動後の位置である）に、夫々のチラシ画像を表示する。換言すれば、表示制御部３０は、各チラシ画像に対応付けて表示画面上の現在の表示位（初期位置又は移動後の位置）を記憶している。
【００２０】
操作受付部５０は、表示画面４０に配されているタッチセンサを介してユーザから種々の操作を受け付ける。例えば、操作受付部５０は、チラシ画像の表示位置を移動させる移動操作を受け付ける。具体的には、ユーザが、表示画面４０上において一のチラシ画像の表示領域に指で触れ、触れたままの状態で指が触れている位置を移動させた場合、操作受付部５０は、タッチセンサを介して、チラシ画像に触れたまま指を移動させている旨を認識し、当該チラシ画像の表示位置を指の動きに連れて移動させる移動操作として受け付ける。
【００２１】
操作受付部５０は、チラシ画像の表示位置を移動させる移動操作を受け付けた場合、移動操作の対象となっているチラシ画像を特定する情報と、移動操作の内容を表す情報である移動操作内容を表示制御部３０及び分類部６０に出力する。ここで、移動操作内容とは、操作画面４０上の移動速度、即ち、移動方向、移動量等である。
【００２２】
分類部６０は、操作受付部５０によって受け付けたチラシ画像の表示位置の移動先に応じて、チラシ画像を閲覧必要と閲覧不要とに分類する。具体的には、分類部６０は、チラシ画像の移動先が表示画面４０の所定の第１領域（後述）である場合、当該チラシ画像を第１の画像（閲覧必要）に分類する。より詳細には、分類部６０は、移動操作に応じてチラシ画像の表示位置を移動させる表示制御部３０が当該チラシ画像の少なくとも一部を第１領域上に表示させるように制御したとき、即ち、表示画面４０の第１領域上に当該チラシ画像の少なくとも一部が表示されたときに、当該チラシ画像の移動先は第１領域であると判断し、当該チラシ画像を第１の画像（閲覧必要）に分類する。
【００２３】
また、分類部６０は、チラシ画像の移動先が表示画面４０の第１領域と異なる所定の第２領域（後述）である場合、当該チラシ画像を第２の画像（閲覧不要）に分類する。より詳細には、分類部６０は、移動操作に応じてチラシ画像の表示位置を移動させる表示制御部３０が当該チラシ画像の少なくとも一部を第２領域上に表示させるように制御したとき、当該チラシ画像の移動先は第２領域であると判断し、当該チラシ画像を第２の画像（閲覧不要）に分類する。
【００２４】
なお、分類部６０は、移動操作に応じてチラシ画像の表示位置を移動させる表示制御部３０が当該チラシ画像の少なくとも一部を第１領域上に表示させるように制御したときではなく、タッチセンサを介して指の動きを認識する操作受付部５０が、チラシ画像に触れたまま移動している指の画面上の位置が第１領域上であることを認識したときに、当該チラシ画像の移動先は第１領域であると判断し、当該チラシ画像を第１の画像（閲覧必要）に分類するようにしてもよい。
チラシ画像を第２の画像（閲覧不要）に分類する場合も同様に、分類部６０は、操作受付部５０が、チラシ画像に触れたまま移動している指の画面上の位置が第２領域上であることを認識したときに、当該チラシ画像の移動先は第２領域であると判断し、当該チラシ画像を第２の画像（閲覧不要）に分類するようにしてもよい。
【００２５】
上述の第１領域は、例えば、チラシ画像の表示画面４０上の移動範囲を規定する所定の一辺に沿った端部の領域である。また、上述の第２領域は、例えば、チラシ画像の表示画面４０上の移動範囲を規定する所定の一辺以外の他の辺に沿った端部の領域である。
【００２６】
例えば、図２において、表示画面４０上のチラシ画像Ｐの移動範囲（領域４０ａ、領域４０ｂ及び領域４０ｃを含む範囲。太枠部分）を規定する所定の一辺Ｒに沿った端部の領域４０ａが、第１領域である。また、図２において、移動範囲（４０ａ、４０ｂ及び４０ｃ）を規定する所定の一辺Ｒ以外の他の辺Ｓ、辺Ｔ、辺Ｕに沿った端部の領域４０ｃが、第２領域である。
なお、図２において、領域４０ｂは、未分類のチラシ画像を表示する分類作業領域である。また、領域４０ｄ、領域４０ｅは、メッセージを表示する領域である。また、この図において、例えば辺Ｒは、左辺に割り当てられている。また辺Ｓが上辺、辺Ｔが右辺、辺Ｕが下辺に割り当てられており、これら３辺に沿って領域４０ｃが割り当てられている。
【００２７】
分類部６０による分類結果は、記憶部２０に反映される。例えば、記憶部２０が、図３（ａ）に示すように、各チラシ画像を「未分類」「閲覧必要」「閲覧不要」の何れかの状態と対応付けて記憶する態様の場合、分類部６０は、ある「未分類」のチラシ画像について、「閲覧必要」に分類したときは、記憶部２０に当該チラシ画像に対応付けられていた状態を表す情報を「未分類」から「閲覧必要」に更新し、「閲覧不要」に分類したときは記憶部２０に当該チラシ画像に対応付けられていた状態を表す情報を「未分類」から「閲覧不要」に更新する。
【００２８】
また、記憶部２０が、図３（ｂ）に示すように、各チラシ画像を「未分類」「閲覧必要」「閲覧不要」の何れかの状態毎にグループに分けて記憶する態様の場合、分類部６０は、ある「未分類」のチラシ画像について、「閲覧必要」に分類したときは当該チラシ画像を記憶部２０の「未分類」のグループから「閲覧必要」のグループに分類し、「閲覧不要」に分類したときは当該チラシ画像を記憶部２０の「未分類」のグループから「閲覧不要」のグループに分類する。
【００２９】
なお、表示制御部３０は、第１領域上にチラシ画像が移動してきたときに、第１領域である旨を明示的に表示するようにしてもよい。つまり、表示制御部３０は、第１領域上にチラシ画像を表示していないときは第１領域を明示的に表示せずに、第１領域上にチラシ画像を表示しているときに第１領域を明示的に表示するようにしてもよい。
【００３０】
また、表示制御部３０は、分類部６０によって第１の画像に分類された画像を識別する情報を第１領域に表示するようにしてもよい。つまり、表示制御部３０は、既に「閲覧必要」として記憶部２０に記憶されているチラシ画像を識別する情報（例えば、画像ファイル名、広告店舗名、それらを示すアイコン）を第１領域に表示するようにしてもよい。
【００３１】
計時部７０は、内部のクロックに基づいて計時する。この計時結果に基づいて、有効期限が設定されているチラシ画像は、有効期限を過ぎたときに記憶部２０から消去される。
なお、チラシ画像の消去は、記憶部２０自身が、計時部７０の計時結果に従って、行ってもよいし、計時部７０が行ってもよい。
【００３２】
続いて、端末装置１において、チラシ画像を分類する画面に至る迄の画面の遷移について説明する。図４は、表示画面４０における表示例である。
端末装置１は、表示制御部３０の制御によってアイコンＥの表示中に（図４の（Ｉ））、操作受付部５０によってアイコンＥのタッチを検知した場合、表示制御部３０の制御によってメニュー画面（図４の（ＩＩ））を表示する。メニュー画面には、「今日のチラシを見る」と表示されたボタンＦ、今日のチラシの総数を示すアイコンＧなどが配置されている。
【００３３】
端末装置１は、操作受付部５０によってメニュー画面上のボタンＦのタッチを検知した場合、表示制御部３０の制御によって、チラシ画像のチェック（分類）の開始画面（図４の（ＩＩＩ））を表示する。端末装置１は、操作受付部５０によって開始画面上の「ＯＫ」ボタンのタッチを検知した場合、表示制御部３０の制御によって、今日のチラシ画像をランダムに表示したチェック画面（図４の（ＩＶ））を表示する。
【００３４】
また、端末装置１は、上述のメニュー画面（図４の（ＩＩ））から開始画面（図４の（ＩＩＩ））へ遷移に代えて又は加えて、報知画面（図４の（Ｖ））から開始画面（図４の(ＩＩＩ)）へ遷移させても良い。つまり、端末装置１は、送受信部１０がチラシ画像を受信したときに、表示制御部３０の制御によって、チラシ画像の受信を報知する報知画面を表示し、操作受付部５０によって報知画面上の「みる」ボタンのタッチを検知した場合、開始画面（図４の（ＩＩＩ））を表示するようにしてもよい。
【００３５】
以下、端末装置１の処理の流れを説明する。図５は、端末装置１の動作の一例を示すフローチャートである。
【００３６】
図５において、端末装置１は、サーバからチラシ画像を受信すると、表示画面４０上にランダムに配置して表示する。そして、操作受付部５０は、図４（ＩＶ）のような画面が表示された表示画面４０上において、一のチラシ画像について第１領域への移動操作を受け付けたか否かを判断する（ステップＳ１０）。
【００３７】
ステップＳ１０において、操作受付部５０が、一の画像について表示画面４０の第１領域への移動操作を受け付けた場合（ステップＳ１０：Ｙｅｓ）、分類部６０は、未分類として記憶されていた当該画像を、閲覧必要として記憶するように記憶部２０を制御する（ステップＳ２０）。また、表示制御部３０は、表示画面４０の分類作業領域から当該画像を消去するとともに（ステップＳ３０）、表示画面４０の第１領域に当該画像を識別する情報を表示するように制御する（ステップＳ４０）。そして、ステップＳ８０に進む。
【００３８】
一方、ステップＳ１０において、操作受付部５０は、一の画像について表示画面４０の第１領域への移動操作を受け付けなかった場合（ステップＳ１０：Ｎｏ）、操作受付部５０は、当該画像について、表示画面４０の第２領域への移動操作を受け付けたか否かを判断する（ステップＳ５０）。
【００３９】
ステップＳ５０において、操作受付部５０が、一の画像について表示画面４０の第２領域への移動操作を受け付けた場合（ステップＳ５０：Ｙｅｓ）、分類部６０は、未分類として記憶されていた当該画像を、閲覧不要として記憶するように記憶部２０を制御する（ステップＳ６０）。また、表示制御部３０は、表示画面４０の分類作業領域から当該画像を消去するように制御する（ステップＳ７０）。そして、ステップＳ８０に進む。
【００４０】
一方、ステップＳ５０において、操作受付部５０が一の画像について表示画面４０の第２領域への移動操作を受け付けなかった場合（ステップＳ５０：Ｎｏ）、ステップＳ８０に進む。
【００４１】
ステップＳ４０、ステップＳ５０（Ｎｏ）、ステップＳ７０に続いて、終了判定部（非図示）は、分類処理を終了するか否かを判断する（ステップＳ８０）。例えば、未分類のチラシ画像が無くなった場合、ユーザから分類を終了する旨の操作を受け付けた場合に、終了判定部（非図示）は、分類処理を終了するか否かを判断する。終了判定部（非図示）は、分類処理を終了すると判断したときは（ステップＳ８０：Ｙｅｓ）、本フローチャートは終了し、分類処理を終了しないと判断したときは（ステップＳ８０：Ｎｏ）、ステップＳ１０に戻る。
【００４２】
続いて、具体例を用いて、図５に示すフローチャートを更に説明する。図６〜図９は、表示画面４０における表示例である。図６〜図９は、未分類のチラシ画像Ａ、画像Ｂ、画像Ｃ、画像Ｄを、画像Ａ、画像Ｂ、画像Ｃ、画像Ｄの順に分類するユーザの一連の分類操作を表している。
【００４３】
まず、図６に示すように、チェック画面の分類作業領域４０ｂに未分類の画像Ａ、画像Ｂ、画像Ｃ、画像Ｄが表示されている場合に、操作受付部５０が、画像Ａについて表示画面４０の第１領域４０ａへの移動操作を受け付けた場合（ステップＳ１０：Ｙｅｓ）、分類部６０は、未分類として記憶されていた画像Ａを、閲覧必要として記憶するように記憶部２０を制御し（ステップＳ２０）、表示制御部３０は、分類作業領域４０ｂから画像Ａを消去するとともに（ステップＳ３０）、第１領域４０ａに画像Ａを識別する情報（アイコンＩａ）を表示するように制御する（ステップＳ４０）。
なお、図６に示すように、表示制御部３０は、第１領域上４０ａ上にチラシ画像が移動してきたときに、第１領域である旨を明示的に表示している（説明の便宜上、明示的に表示している旨を斜線にて表しているが、実際には、斜線を用いて第１領域である旨を表示しなくてもよい。例えば、第１領域を他の領域と異なる色にて表示してもよい）。
また、メッセージ領域４０ｄや電子チラシの画像からの吹き出しには、操作に係る画像に関する情報（例えば、チラシ名）が表示される。図６の場合、画像Ａのチラシ名「Ａ店  ○○○」を表示している。
【００４４】
続いて、図７に示すように、チェック画面の分類作業領域４０ｂに未分類の画像Ｂ、画像Ｃ、画像Ｄが表示されている場合に、操作受付部５０が、画像Ｂについて表示画面４０の第２領域４０ｃへの移動操作を受け付けた場合（ステップＳ５０：Ｙｅｓ）、分類部６０は、未分類として記憶されていた画像Ｂを、閲覧不要として記憶するように記憶部２０を制御し（ステップＳ６０）、表示制御部３０は、分類作業領域４０ｂから画像Ｃを消去するように制御する（ステップＳ７０）。
【００４５】
なお、図６、図７に示すように、表示制御部３０は、画像Ｂの如く、向きが表示画面４０の上下方向と一致していない画像が操作受付部５０によって選択されたときは、上下方向を正して表示するようにしてもよい。
また、図６、図７に示すように、表示制御部３０は、画像Ｂの如く、他の画像の下側に重なって表示されている画像が操作受付部５０によって選択されたときは、他の画像よりも上側に表示するようにしてもよい。
【００４６】
続いて、図８に示すように、チェック画面の分類作業領域４０ｂに未分類の画像Ｃ、画像Ｄが表示されている場合に、操作受付部５０が、画像Ｃについて表示画面４０の第１領域４０ａへの移動操作を受け付けた場合（ステップＳ１０：Ｙｅｓ）、分類部６０は、未分類として記憶されていた画像Ｃを、閲覧必要として記憶するように記憶部２０を制御し（ステップＳ２０）、表示制御部３０は、分類作業領域４０ｂから画像Ｃを消去するとともに（ステップＳ３０）、第１領域４０ａに画像Ｃを識別する情報（アイコンＩｃ）を表示するように制御する（ステップＳ４０）。
なお、図８に示すように、表示制御部３０は、第１領域上４０ａ上にチラシ画像が移動してきたときに、第１領域である旨を明示的に表示するとともに、既に閲覧必要として記憶している画像を識別する情報（アイコンＩａ）を第１領域内に表示するように制御する。
【００４７】
続いて、図９に示すように、チェック画面の分類作業領域４０ｂに未分類の画像Ｄが表示されている場合に、操作受付部５０が、画像Ｄについて表示画面４０の第２領域４０ｃへの移動操作を受け付けた場合（ステップＳ５０：Ｙｅｓ）、分類部６０は、未分類として記憶されていた画像Ｄを、閲覧不要として記憶するように記憶部２０を制御し（ステップＳ６０）、表示制御部３０は、分類作業領域４０ｂから画像Ｄを消去するように制御する（ステップＳ７０）。
【００４８】
以上、端末装置１によれば、ユーザは、チラシ画像の表示位置を移動させることによって当該画像を分類することができるため、紙のチラシを扱うのに近い感覚で、チラシ画像を分別することができる。また、図６〜図９に示すように、チラシ画像をゲーム感覚で楽しく、片付けることができる。
【００４９】
また、分類部６０は、チラシ画像の移動先が、領域４０ａ、領域４０ｂ及び領域４０ｃを含む範囲の何れの辺に沿った端部の領域であるかに応じて当該画像を分類しているため、ユーザは、閲覧必要又は閲覧不要の分類先に応じて、何れかの辺の方向に、チラシ画像を移動させるのみで、チラシ画像を分類できる。従って、例えば、表示画面４０のフォルダなどを表示している閉領域等の特定の領域に移動させるよりも、簡便に、チラシ画像を分類することができる。
【００５０】
なお、上記実施例においては、操作受付部５０は、ユーザが、表示画面４０上において一のチラシ画像の表示領域に指で触れ、触れたままの状態で指が触れている位置を移動させた場合、当該指の移動操作を、当該チラシ画像の表示位置の移動操作として受け付けると説明したが、操作受付部５０が移動操作として受け付ける操作はこれに限定されない。
【００５１】
図１０は、表示画面４０における表示例である。例えば、操作受付部５０は、図１０に示すように、表示画面４０上において一のチラシ画像の表示領域をフリックする操作を、当該チラシ画像の表示位置の移動操作として受け付けるようにしてもよい。なお、フリックする操作とは、例えば、弾く、滑らせる、投げる操作である。
【００５２】
なお、フリックの場合、表示制御部３０は、弾く際に最初にチラシ画像上の指を付けた位置及び当該チラシ画像を弾いて指を離した位置に基づいて算出されるチラシ画像の移動方向と、弾く際の勢い（チラシ画像に与えた加速度）に基づいて算出されるチラシ画像の速さとから、フリック後に移動するチラシ画像（弾かれたチラシ画像）を表示画面４０に表示させるように制御する。なお、弾かれたチラシ画像は、弾かれた後に減速せずに等速運動をするようにしてもよいし、予め定めた摩擦計数に従って徐々に減速、停止するようにしてもよい。
【００５３】
また、分類部６０は、フリック後に移動する電子チラシの少なくとも一部が、表示画面４０の第１領域上に表示されたときに、当該チラシ画像を第１の画像（閲覧必要）に分類する。また、分類部６０は、フリック後に移動する電子チラシの少なくとも一部が、表示画面４０の第２領域上に表示されたときに、当該チラシ画像を第２の画像（閲覧不要）に分類する。
【００５４】
また、上記実施例においては、閲覧必要に振り分けるための第１領域は、チラシ画像の移動範囲を規定する左辺に沿った端部の領域であると説明したが、第１領域は当該端部に限定されない。例えば、移動範囲を規定する右辺、上辺、下辺の何れかの辺に沿った端部の領域を第１領域としてもよい。また、移動範囲を規定する何れかの１辺に沿った端部の領域を第１領域とするのではなく、２辺又は３辺に沿った端部の領域を第１領域としてもよい。
【００５５】
また、同様に、上記実施例においては、閲覧不要に振り分けるための第２領域は、チラシ画像の表示画面４０上の移動範囲を規定する３辺（例えば、上辺、右辺、下辺）に沿った端部の領域であると説明したが、第２領域はこれに限定されず、第１領域とする端部以外の端部の全部又は一部を第２領域とすればよい。例えば、移動範囲を規定する上辺に沿った端部の領域を第１領域とした場合、上辺以外の端部である左辺、下辺、右辺の３辺の全部又は一部に沿った端部を第２領域としてもよい。
【００５６】
また、上記実施例においては、分類部６０は操作受付部５０によって受け付けたチラシ画像の表示位置の移動先に応じてチラシ画像を閲覧必要と閲覧不要とに分類すると説明したが、端末装置１は、上述のような、未分類の状態のチラシ画像を分類済の状態にする分類機能に加え、分類済の状態（閲覧必要又は閲覧不要）のチラシ画像を未類済の状態にする分類やり直し機能（リセット機能）を更に備えていてもよい。具体的には、端末装置１が分類やり直し部（非図示）を備え、分類やり直し部は、操作受付部５０を介して受け付けた分類やり直し操作に応じて、分類済の状態のチラシ画像を未類済の状態に戻してもよいし、分類部６０が分類やり直し機能を有し、上述の分類やり直し操作に応じて、分類済の状態のチラシ画像を未類済の状態に戻してもよい。なお、分類済の状態のチラシ画像を未類済の状態に戻したときは、記憶部２０の記憶の状態、及び、表示画面の表示の状態が、分類済の状態から未分類のときの状態に戻る。
【００５７】
続いて、分類作業領域４０ｂに一度（一斉）に表示できるチラシ画像の数に関して説明する。分類作業領域４０ｂには、例えば、図６に示すように、チラシ画像は重ねて表示できる。従って、今日のチラシの総数（図４の（ＩＩ））分の全てのチラシ画像を一度に分類作業領域４０ｂに表示することができる。
【００５８】
なお、今日のチラシの総数分の全てのチラシ画像を一度に分類作業領域４０ｂに表示する態様、即ち、分類作業領域４０ｂに一度に表示するチラシ画像の数を制限しない態様に代えて、分類作業領域４０ｂに一度に表示するチラシ画像の数を制限する態様としてもよい。換言すれば、分類対象のチラシ画像の全てではなく一部を分類作業領域４０ｂに表示する態様としてもよい。
具体的には、今日のチラシの総数が、分類作業領域４０ｂに一度に表示できる制限数を超えていた場合には、最初に分類作業領域４０ｂに制限数分のチラシ画像を表示し、他を非表示とし、表示中のチラシ画像を１つ分類する毎に、非表示のチラシ画像を１つずつ分類作業領域４０ｂに追加表示するようにしてもよい。
【００５９】
図１１は、表示画面４０における表示例である。例えば、制限数が４であって、今日のチラシの総数が６（画像Ａ、画像Ｂ、画像Ｃ、画像Ｄ、画像Ｅ、画像Ｆ）である場合、図６に相当する分類操作は、図１１のようになる。図１１の例では、最初に、分類作業領域４０ｂに制限数４に従って４つの画像（画像Ａ、画像Ｂ、画像Ｃ、画像Ｄ）を表示し、制限数４を超えた２つの画像（画像Ｅ、画像Ｆ）を非表示とし、表示中の画像Ａが分類されたときに非表示としていた画像Ｅを分類作業領域４０ｂに追加表示している。なお、画像Ｆは、表示中の画像Ｂ、画像Ｃ、画像Ｄ、画像Ｅの何れかが分類されたときに分類作業領域４０ｂに追加表示する。
【００６０】
続いて、図６乃至図９、及び、図１１乃至図１５を用いて、分類結果を参照する画面に関して説明する。図１２乃至図１５は、表示画面４０における表示例である。なお、この分類結果を参照する画面の説明において、上述の制限数は４であるものとする。
図６乃至図９に示すように、今日のチラシの総数が４（画像Ａ、画像Ｂ、画像Ｃ、画像Ｄ）である場合において、画像Ａの分類後に（図６の右端の状態において）、領域４０ｅの「チェックしたチラシをみる」がタッチされたときは、図１２（ａ）の如く、分類結果を表示する。
図１２（図１３、図１４も同様）において、領域４０ａ’は、上述の第１領域４０ａと略同一の位置の領域であって、閲覧必要に分類された画像（閲覧必要として記憶された画像）を識別する情報を表示する領域４０ａ’−１、未分類の画像（未分類として記憶された画像）を識別する情報を表示する領域４０ａ’−２、及び、閲覧不要に分類された画像（閲覧不要として記憶された画像）を識別する情報を表示する領域４０ａ’−３から構成されている。なお、領域４０ａ’−１、領域４０ａ’−２、領域４０ａ’−３は、互いに異なる色にて表示してもよいし、他の領域との境界を明示してもよい。
図１２（図１３、図１４、図１５も同様）において、領域４０ｂ’は、上述の分類作業領域４０ｂと略同一の位置の領域であって、閲覧必要に分類された画像の１つを初期表示する（拡大表示してもよい）。なお、閲覧必要に分類された画像が存在しない場合には、未分類の画像、若しくは、閲覧不要に分類された画像の１つを初期表示してもよい。
図１２（図１３、図１４、図１５も同様）において、領域４０ｅの「もどる」がタッチされたときは、当該分類結果を参照する画面の表示前の画面に戻る。
【００６１】
従って、画像Ａの分類後に（図６の右端の状態において）、「チェックしたチラシをみる」がタッチされたときは、図１２（ａ）の如く、領域４０ａ’−１に、閲覧必要に分類された画像Ａを識別するアイコンＩａを表示し、領域４０ａ’−２に、未分類の画像Ｂ、画像Ｃ、画像Ｄを識別するアイコンＩｂ、アイコンＩｃ、アイコンＩｄを表示する。閲覧不要に分類された画像は無いため、領域４０ａ’−３には何も表示しない。
また、領域４０ｂ’には、領域４０ａ’−１に表示されたアイコンＩａに対応する画像Ａを初期表示する。領域４０ａ’−２又は領域４０ａ’−３に表示された他のアイコンがタッチされた場合には、初期表示した画像Ａに代えて、タッチされたアイコンに対応する画像を領域４０ｂ’に表示する。
なお、図１２（ａ）において、領域４０ｅの「もどる」がタッチされたときは、当該画面の表示前の画面に戻る。即ち、図６の右側の画面を表示する。図１２（ｂ）、及び、図１３乃至図１５に記載の他の分類結果を参照する画面についても同様である。
【００６２】
また、画像Ｂの分類後に（図７の右端の状態において）、「チェックしたチラシをみる」がタッチされたときは、図１２（ｂ）の如く、領域４０ａ’−１に、閲覧必要に分類された画像Ａを識別するアイコンＩａを表示し、領域４０ａ’−２に、未分類の画像Ｃ、画像Ｄを識別するアイコンＩｃ、アイコンＩｄを表示し、領域４０ａ’−３に、閲覧不要に分類された画像Ｂを識別するアイコンＩｂを表示する。なお、領域４０ｂ’には、領域４０ａ’−１に表示されたアイコンＩａに対応する画像Ａを初期表示する。他のアイコンがタッチされた場合には、初期表示した画像Ａに代えて、タッチされたアイコンに対応する画像を領域４０ｂ’に表示する。
【００６３】
また、画像Ｃの分類後に（図８の右端の状態において）、「チェックしたチラシをみる」がタッチされたときは、図１３（ａ）の如く、領域４０ａ’−１に、閲覧必要に分類された画像Ａ、画像Ｃを識別するアイコンＩａ、アイコンＩｃを表示し、領域４０ａ’−２に、未分類の画像Ｄを識別するアイコンＩｄを表示し、領域４０ａ’−３に、閲覧不要に分類された画像Ｂを識別するアイコンＩｂを表示する。なお、領域４０ｂ’には、領域４０ａ’−１の最上部に表示されたアイコンＩａに対応する画像Ａを初期表示する。他のアイコンがタッチされた場合には、初期表示した画像Ａに代えて、タッチされたアイコンに対応する画像を領域４０ｂ’に表示する。
【００６４】
また、画像Ｄの分類後に（図９の右端の状態において）、「チェックしたチラシをみる」がタッチされたときは、図１３（ｂ）の如く、領域４０ａ’−１に、閲覧必要に分類された画像Ａ、画像Ｃを識別するアイコンＩａ、アイコンＩｃを表示し、領域４０ａ’−３に、閲覧不要に分類された画像Ｂ、画像Ｄを識別するアイコンＩｂ、アイコンＩｄを表示する。未分類の画像は無いため、領域４０ａ’−２には何も表示しない。なお、領域４０ｂ’には、領域４０ａ’−１の最上部に表示されたアイコンＩａに対応する画像Ａを初期表示する。他のアイコンがタッチされた場合には、初期表示した画像Ａに代えて、タッチされたアイコンに対応する画像を領域４０ｂ’に表示する。
【００６５】
また、図１１に示すように、今日のチラシの総数が６（画像Ａ、画像Ｂ、画像Ｃ、画像Ｄ、画像Ｅ、画像Ｆ）である場合、画像Ａの分類後に（図１１の右端の状態において）、「チェックしたチラシをみる」がタッチされたときは、図１４の如く、分類結果を表示する。つまり、領域４０ａ’−１に、閲覧必要に分類された画像Ａを識別するアイコンＩａを表示し、領域４０ａ’−２に、未分類の画像Ｂ、画像Ｃ、画像Ｄ、画像Ｅ、画像Ｆを識別するアイコンＩｂ、アイコンＩｃ、アイコンＩｄ、アイコンＩｅ、アイコンＩｆを表示する。即ち、分類作業領域４０ｂに表示中の画像Ｂ、画像Ｃ、画像Ｄ、画像Ｅに加え、非表示中の画像Ｆについても未分類であるため、領域４０ａ’−２にアイコンを表示する。
なお、領域４０ａ’にアイコンが収まらないときは、スクロールするようにしてもよい（図１２、図１３、図１５も同様）。
【００６６】
なお、図１２乃至図１４に示す例は、閲覧必要に分類された画像を識別するアイコン、未分類の画像を識別するアイコン、及び、閲覧不要に分類された画像を識別するアイコンを領域４０ａ’に表示する態様であるが、閲覧必要に分類された画像を識別するアイコンのみを領域４０ａ’に表示する態様としてもよい。つまり、例えば、画像Ｂの分類後に（図７の右端の状態において）、「チェックしたチラシをみる」がタッチされたときは、図１２（ｂ）に代えて、図１５（ａ）の如く、閲覧必要に分類された画像Ａを識別するアイコンＩａのみを表示してもよい。
また、閲覧必要に分類された画像を識別するアイコン、及び、未分類の画像を識別するアイコンを領域４０ａ’に表示する態様としてもよい。つまり、例えば、画像Ｂの分類後に（図７の右端の状態において）、「チェックしたチラシをみる」がタッチされたときは、図１２（ｂ）に代えて、図１５（ｂ）の如く、閲覧必要に分類された画像Ａを識別するアイコンＩａ、未分類の画像Ｃ、画像Ｄを識別するアイコンＩｃ、アイコンＩｄを表示してもよい。
【００６７】
なお、図１２乃至図１５に示す例は、領域４０ｅに「もどる」を表示しているが、閲覧必要に分類された画像の画像数と、うち何番目の画像を領域４０ｂ’に表示しているかを示す情報を表示してもよい。例えば、図１３（ａ）の場合、閲覧必要に分類された画像数は２（画像Ａ、画像Ｃ）であって１番目の画像Ａを領域４０ｂ’に表示しているため、領域４０ｅに「１／２」と表示する。また、閲覧必要に分類された画像の画像数に代えて、閲覧必要に分類された画像、未分類の画像、閲覧不要に分類された画像の合計数を用いてもよい。例えば、図１３（ａ）の場合、合計数は４（画像Ａ、画像Ｃ、画像Ｄ、画像Ｂ）であって１番目の画像Ａを領域４０ｂ’に表示しているため、領域４０ｅに「１／４」と表示する。
【００６８】
続いて、分類作業領域４０ｂのチラシ画像の初期表示について説明する。チラシ画像は、所定の、若しくは、ランダムに定める初期位置に表示すると説明し、一例として、図４の（ＩＶ）に示す表示例を示した。他の初期表示の表示例を図１６に示す。図１６は、表示画面４０における表示例である。
即ち、開始画面（図４の（ＩＩＩ））において、「ＯＫ」ボタンがタッチされた場合、図１６（ａ）の如く、チラシ画像の向き（表示画面に対する画像の傾き）を揃えて表示してもよい。また、図１６（ｂ）の如く、各チラシ画像が重ならないように表示してもよい。また、図１６（ｃ）の如く、各チラシ画像を少しずつ所定方向にずらしながら重ねて表示してもよい。
【００６９】
なお、上記実施例におけるチラシ画像、即ち、分類作業領域４０ｂにおいて分類するチラシ画像は、実際に閲覧するための閲覧用画像であってもよいし、閲覧用画像に対応するサムネイル画像であってもよい。サムネイル画像を分類する態様の場合には、分類結果参照画面（図１２乃至図１５）の領域４０ｂ’に閲覧用画像を表示する。
【００７０】
以下、サムネイル画像を分類する態様について説明する。サーバは、サムネイル画像を端末装置１に送信する。つまり、端末装置１は、サーバからサムネイル画像を受信する。
続いて、端末装置１は、サーバから受信したサムネイル画像を記憶するとともに、記憶したサムネイル画像を表示画面４０に表示する（図４参照）。即ち、端末装置１は、サーバから送信されたサムネイル画像を受信する受信部と、受信部によって受信されたサムネイル画像を記憶する記憶部と、記憶部に記憶されたサムネイル画像の表示画面４０への表示を制御する表示制御部とを備える。なお、端末装置１の受信部は、サーバから送信された閲覧用画像も受信する（後述）。
【００７１】
続いて、端末装置１は、ユーザからの指示に応じて、表示画面４０に表示されているサムネイル画像を分類し（図６乃至図９参照）、分類結果を記憶する（図３参照）。即ち、端末装置１は、表示制御部によって表示画面４０に表示されたサムネイル画像の表示位置を移動させる移動操作を受け付ける移動操作受付部と、移動操作受付部によって受け付けたサムネイル画像の表示位置の移動先に応じてサムネイル画像を分類する分類部とを備える。
【００７２】
続いて、端末装置１は、「チェックしたチラシをみる」がタッチされたときは、分類結果参照画面の領域４０ａにサムネイル画像を表示する。端末装置１は、分類結果参照画面の領域４０ａにおいて、一のサムネイル画像（閲覧必要に分類された一のサムネイル画像、未分類の一のサムネイル画像、若しくは、閲覧不要に分類された一のサムネイル画像）がユーザによって指定（タッチ）されたときは、指定された当該サムネイル画像に対応する閲覧用画像をサーバに要求する。即ち、端末装置１は、分類されたサムネイル画像若しくは未だ分類されていないサムネイル画像のなかから、所望のサムネイル画像の指定操作を受け付ける指定操作受付部と、指定操作受付部によって受け付けたサムネイル画像に対応する閲覧用画像をサーバに要求する要求部とを備える。
サーバは、端末装置１からの要求に応じて、閲覧用画像を端末装置１に送信する。即ち、端末装置１は、サーバから送信された閲覧用画像を受信し（受信部）、分類結果参照画面の領域４０ｂ’に表示する（表示制御部）。
【００７３】
なお、端末装置１の指定操作受付部は、分類結果参照画面を表示したときに、初期表示として、領域４０ａの最上部に表示されたサムネイル画像（図１２乃至図１５の例においてサムネイル画像Ａ）に対応する閲覧用画像を、ユーザからの指定によらずに自動的に、サーバに要求してもよい。
【００７４】
なお、サーバは、閲覧用画像に有効期限を設定し、端末装置１から閲覧用画像を要求された場合に、有効期限をチェックしてもよい。即ち、サーバは、有効期限内の閲覧用画像については端末装置１に送信し、有効期限を過ぎた閲覧用画像については端末装置１に送信しないようにしてもよい。
【００７５】
また、端末装置１は、サムネイル画像がタッチされる都度、サーバに閲覧用画像を要求するのではなく、サーバから受信した閲覧用画像を一時記憶しておき、一時記憶している閲覧用画像を表示してもよい。なお、端末装置１は、閲覧用画像に有効期限が設定されている場合であって端末装置１側において有効期限を保持する場合（例えば、サムネイル画像又は閲覧用画像とともに有効期限情報をサーバから取得している場合）には、一時記憶している閲覧用画像を表示する際に、有効期限をチェックし、有効期限であれば表示し、そうでなければ表示しないようにしてもよい。また、端末装置１は、閲覧用画像に有効期限が設定されている場合であって端末装置１側において有効期限を保持しない場合には、一時記憶している閲覧用画像を表示する際に、サーバに有効期限を問い合わせ、有効期限をチェックしてもよい。
【００７６】
以上のように、端末装置１においてサムネイル画像を分類する態様の場合、サーバは、チラシ画像であって閲覧するための閲覧用画像と、チラシ画像であって閲覧用画像に対応するサムネイル画像とを記憶する記憶部と、サムネイル画像を端末装置１に送信するとともに、サムネイル画像を送信した端末装置１からの要求に応じて閲覧用画像を送信する送信部とを備える。
【００７７】
また、上記実施例においては、端末装置１は、スマートフォンであると説明したが、端末装置１はスマートフォンに限定されない。例えば、端末装置１は、パーソナルコンピュータ、スマートフォンの普及よりも前に普及した携帯電話であってもよい。なお、端末装置１がタッチセンサ画面を有しない場合には、操作受付部５０は、マウス、操作キーなどによって、チラシ画像を移動させる移動操作を受け付けるようにしてもよい。
【００７８】
また、端末装置１の機能を実現するためのプログラムをコンピュータ読み取り可能な記録媒体に記録して、この記録媒体に記録されたプログラムをコンピュータシステムに読み込ませ、実行することにより、上述のチラシ画像の分類等を行ってもよい。なお、ここでいう「コンピュータシステム」とは、ＯＳや周辺機器等のハードウェアを含むものとする。
【００７９】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを配信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【００８０】
以上、この発明の実施形態について図面を参照して詳述してきたが、具体的な構成はこの実施形態に限られるものではなく、この発明の要旨を逸脱しない範囲の設計等も含まれる。
【符号の説明】
【００８１】
１…端末装置  １０…送受信部  ２０…記憶部  ３０…表示制御部  ４０…表示部（表示画面）  ５０…操作受付部  ６０…分類部  ７０…計時部
【図１】
0006020157.tif 000002
【図２】
0006020157.tif 000003
【図３】
0006020157.tif 000004
【図４】
0006020157.tif 000005
【図５】
0006020157.tif 000006
【図６】
0006020157.tif 000007
【図７】
0006020157.tif 000008
【図８】
0006020157.tif 000009
【図９】
0006020157.tif 000010
【図１０】
0006020157.tif 000011
【図１１】
0006020157.tif 000012
【図１２】
0006020157.tif 000013
【図１３】
0006020157.tif 000014
【図１４】
0006020157.tif 000015
【図１５】
0006020157.tif 000016
【図１６】
0006020157.tif 000017